(57)【要約】【課題】  機内に具えた給水ポンプのポンプケースから水が漏れ出ても、モータの絶縁性を損ねることがなく、そのほか、給水ポンプのポンプケースの吐出室と吸込路との構成部分をコンパクトにできるようにする。【解決手段】  ポンプケース５１から水が漏れ出てその外表面を流下しても、モータ５８がポンプケース５１の上部にあって、水の流下先（下方）にないようにした。又、その流下した水が給水ポンプ４８の設置された面上に至って水位を上げることがあっても、ポンプケース５１の上部に位置したモータ５８部分には容易に水が浸入することがない。更に、ポンプケース５１は、吐出室７４の内部に吸込路７３を有しており、これによって、吸込路７３を吐出室７４の外部に有するものより、それらの構成部分をコンパクトにすることができる。【選択図】  図１
2004160243.tif 000002
【特許請求の範囲】
【請求項１】
機内に、機外の水を槽内へ供給する給水ポンプを具えたものにおいて、その給水ポンプが、ポンプ羽根を回転駆動するモータを、ポンプケースの上部に配設して構成され、ポンプケースが、ポンプ羽根が吐出した水を受容する吐出室の内部に、機外の水の吸込みに供する吸込路を有することを特徴とする洗濯機。
【発明の詳細な説明】
【技術分野】
【０００１】
本発明は、機内に給水ポンプを具えた洗濯機に関する。
【背景技術】
【０００２】
近年、洗濯機においては、機内に給水ポンプを具えたものが供されている。この給水ポンプは、機外の例えば風呂の残り湯等の水を機内の洗濯槽内に供給するためのもので、具体的には図５及び図６に示すごとく構成されている。
【０００３】
すなわち、まず、給水ポンプの外殻を成すポンプケース１が、左右の横方向に、モータ側ケース２と、反モータ側ケース３とに分けて形成され、それらがパッキン４を介して合わされ、複数のねじ５（図６参照）によって水密に締付けられている。モータ側ケース２には、下部にモータ室６が形成されており、このモータ室６は、横向きで、左側の端部が開放している。しかして、モータ室６には、その左側端の開放部からモータ７が、回転軸８を横向きとする横軸状態に収納されており、その上で、モータ室６の上記左側端の開放部にはキャップ９が装着されている。なお、キャップ９からはモータ７の接続線１０が導出されている。
【０００４】
一方、モータ室６の奥部には、中空のモータ支え部１１が形成されており、このモータ支え部１１によってモータ７の軸受ハウジング部１２が支持されている。又、このモータ支え部１１には、周囲に複数の孔１３が形成されており、内部の中心部にモータ７の前記回転軸８が位置されている。このモータ７の回転軸８にはポンプ羽根１４が取付けられており、このポンプ羽根１４とモータ支え部１１内、ひいてはモータ室６との間は、シール１５によって水密に封鎖されている。更に、ポンプ羽根１４が位置する部分の周囲に位置してモータ側ケース２には、ポンプケーシング１６が形成されており、そのほか、モータ室６の底部には複数の水抜口１７が形成されている。
【０００５】
これに対して、反モータ側ケース３には、右側端の上側中央部に、吸込口１８と、この吸込口１８から下方へ延びる吸込路１９とが形成されており、そのうちの吸込口１８にはストレーナ２０が内装されている。吸込路１９の先端部は横  （左側）向きに開口しており、この吸込路１９の先端開口に対しては、それを常時は閉鎖する逆止弁２１が設けられている。又、この逆止弁２１が設けられた部分は、囲い壁２２により囲繞して吸込室２３とされており、この吸込室２３（囲い壁２２）と前記モータ側ケース２のポンプケーシング１６との間には、前記ポンプ羽根１４に臨む部分に通水口２４を有する仕切板２５が挟設されている。
【０００６】
そして、前記モータ側ケース２内のモータ室６及びポンプケーシング１６内を除く部分と、反モータ側ケース３内の吸込口１８、吸込路１９及び吸込室２３を除く部分とで、吐出室２６が形成されており、この吐出室２６に連通して反モータ側ケース３の右側端の前後部には、吐出口２７と、呼び水吸込口２８とが形成されている。
【０００７】
この構成で、図示しない洗濯槽内に給水するための給水路に吐出口２７を臨ませ、呼び水吸込口２８には、給水弁に通じた呼び水供給パイプ（これらも図示せず）を接続している。そして、吸込口１８に、前記風呂の浴槽内など機外水源に連通させた吸水ホース（これも図示せず）を接続し、この状態で、ポンプ給水行程を開始させる。すると、最初に、給水弁が開放されることにより、この給水弁から呼び水供給パイプを通じて給水ポンプの吐出室２６に呼び水が供給される。この吐出室２６に供給された呼び水は、ポンプケーシング１６の出口部（図示せず）を通ってポンプケーシング１６内に至り、このポンプケーシング１６内から吸込室２３内、及び吐出室２６内を満たす。
【０００８】
次いで、モータ７が起動されることにより、ポンプ羽根１４が回転駆動され、ポンプケーシング１６内及び吸込室２３内の水がポンプケーシング１６の出口部から吐出室２６内に吐出されることによって、吸込室２３が負圧となる。よって、逆止弁２１が図５に二点鎖線で示すように開き、前記風呂の浴槽内など機外水源の水が吸水ホース及び吸込口１８を通じて吸込路１９内及び吸込室２３内に流入する。そして、この流入した水が、ポンプ羽根１４により吐出室２６内に吐出され、吐出口２７から洗濯槽内に給水するための給水路を経て洗濯槽内に供給される。
【発明の開示】
【発明が解決しようとする課題】
【０００９】
上述のものの場合、例えばパッキン４の劣化等が原因で、ポンプケース１の吐出室２６内、特にこれの上部から水が漏れ出たときに、その水がポンプケース１の外表面を流下して下方のモータ７部分に至り、モータ７の絶縁性を損ねるおそれがある。又、ポンプケース１の外表面を流下した水が直にモータ７部分に浸入しなくても、給水ポンプの設置された面上に至って水位を上げると、キャップ９部分や水抜口１７からモータ７部分に浸入する可能性が多分にあって、やはりモータ７の絶縁性を損ねるおそれがある。
【００１０】
本発明は上述の事情に鑑みてなされたものであり、従ってその目的は、主として、機内に具えた給水ポンプのポンプケースから水が漏れ出ても、モータの絶縁性を損ねるおそれがなく、そのほか、給水ポンプのポンプケースの吐出室と吸込路との構成部分をコンパクトにできる洗濯機を提供するにある。
【課題を解決するための手段】
【００１１】
上記目的を達成するために、本発明の洗濯機においては、機内に、機外の水を槽内へ供給する給水ポンプを具えたものにおいて、その給水ポンプが、ポンプ羽根を回転駆動するモータを、ポンプケースの上部に配設して構成され、ポンプケースが、ポンプ羽根が吐出した水を受容する吐出室の内部に、機外の水の吸込みに供する吸込路を有することを特徴とする。
【発明の効果】
【００１２】
上記手段によれば、ポンプケースから水が漏れ出てポンプケースの外表面を流下しても、モータはポンプケースの上部にあって、水の流下先（下方）にモータがなく、従って、流下した水がモータに触れることがない。又、その流下した水が給水ポンプの設置された面上に至って水位を上げることがあっても、それに対して、モータはポンプケースの上部に位置しており、モータ部分に容易に水が浸入することはない。かくして、モータの絶縁性を、流下した水で損ねるおそれをなくすことができる。
【００１３】
又、ポンプケースは、ポンプ羽根が吐出した水を受容する吐出室の内部に、機外の水の吸込みに供する吸込路を有しており、これによって、吸込路を吐出室の外部に有するものより、それらの構成部分をコンパクトにすることができる。
【発明を実施するための最良の形態】
【００１４】
以下、本発明の一実施例（一実施形態）につき、図１ないし図４を参照して説明する。
まず図３には、洗濯機、中でもいわゆる全自動タイプの洗濯機の全体構成を示しており、外箱３１内に、外槽３２を収容して、一部のみ図示した弾性吊持機構３３により支持している。
外槽３２内には、内槽３４を配設しており、この内槽３４は洗濯槽であり、且つ脱水槽でもあるもので、例えば最上部に脱水孔３５を周囲一列状に有しており、内部の最下部に撹拌体３６を配設している。
【００１５】
外槽３２の外下部には中央部に駆動装置３７を配設しており、この駆動装置３７は、この場合、モータ３８単体から成っている。このモータ３８は、例えばアウターロータ形であり、そのロータ３８ａに洗濯軸３９を取付けている。洗濯軸３９は中空の脱水軸４０の内部に挿通しており、この脱水軸４０に対するロータ３８ａの回転動力の伝達、解離を行うクラッチ（図示せず）を、モータ３８の内部に配設している。
【００１６】
更に、洗濯軸３９には前記撹拌体３６を取付けており、脱水軸４０には内槽３４を取付けているもので、これらにより、その撹拌体３６及び内槽３４の選択的回転駆動をモータ３８により直接的に行い、洗い、すすぎ、脱水を行うようにしている。
このほか、外槽３２の外下方部には、排水弁４１や排水ホース４２等をも配設している。又、内槽３４の内周部には、多孔状（詳しく図示せず）の内バスケット４３を設けており、内槽３４の最上部の内周には、液体封入構造の回転バランサ４４を取付けている。
【００１７】
そして、外箱２１の最上部には、トップカバー４５を装着している。このトップカバー４５は、図４に示す洗濯物出入口４６を有するもので、それを例えば２つ折りタイプの蓋４７（図３参照）により開閉するようにしている。洗濯機の機内である、このトップカバー４５内の前部には、操作パネルやマイクロコンピュータ等の制御装置（いずれも図示せず）を設けており、後部（洗濯機の機後部）に、給水ポンプ４８と、給水ケース４９、及び図４に示す給水弁５０を設けている。
【００１８】
ここで、図１及び図２は、給水ポンプ４８の構成を詳細に示しており、この給水ポンプ４８の外殻を成すポンプケース５１は、上下の縦方向に、モータ側ケース５２と、反モータ側ケース５３とに分けて、それぞれ例えばプラスチックの型成形により形成し、それらをパッキン５４を介して合わせ、複数のねじ５５（図２参照）によって水密に締付けている。
【００１９】
上記両ケース５２，５３のうち、上部のモータ側ケース５２には、左側部にモータ室５６を内部の隔壁５７により隔離して形成しており、このモータ室５６は、縦向きの筒状で、上端部が開放している。しかして、モータ室５６には、その上端の開放部からモータ５８を収納しており、もって、モータ５８をポンプケース５１の上部に配設している。
【００２０】
この場合、モータ５８は、例えば、外周の直径が７０〔ｍｍ〕以下、回転軸５９を除く軸方向の長さが６０〔ｍｍ〕以下のもので、それを、回転軸５９が縦（下）向きとなる縦軸状態に収納している。更に、モータ５８は上端部の外側部に接続端子６０を有しており、これを、モータ室５６の上端部の外側部に形成した導出口６１から導出させ、もって、接続端子６０をポンプケース５１の上部に位置させている。
【００２１】
一方、モータ室５６の底部には、中空のモータ支え部６２を形成しており、このモータ支え部６２によってモータ５８の軸受ハウジング部６３を支持している。又、このモータ支え部６２には、周囲に複数の孔６４を形成しており、内部の中心部にモータ５８の前記回転軸５９を位置させている。このモータ５８の回転軸５９にはポンプ羽根６５を取付けており、もって、ポンプ羽根６５をモータ５８の下方に位置させている。
【００２２】
上記ポンプ羽根６５とモータ支え部６２内、ひいてはモータ室５６との間は、シール６６によって水密に封鎖しており、又、ポンプ羽根６５が位置する部分の周囲に位置してモータ側ケース５２には、ポンプケーシング６７を形成している。このほか、モータ室５６の下部の外側部には、モータ側ケース５２外（ポンプケース５１外）に通じる水抜口６８を形成している。
【００２３】
加えて、モータ側ケース５２には、右側部の上壁部のほゞ中央に吸込口６９を、筒部７０により上方へ突出させて形成しており、この吸込口６９にはストレーナ７１を内装している。又、吸込口６９より下方、すなわちモータ側ケース５２内には、管部７２により延長させて吸込路７３を形成している。
【００２４】
そして、モータ側ケース５２内の前記モータ室５６と吸込路７３とを除く残りスペース部分は、吐出室７４として機能させるようにしており、この吐出室７４はモータ室５６に沿っている。又、吸込路７３は吐出室７４の内部に位置している。更に、吐出室７４に連通して、モータ側ケース５２の右側部の側壁上部の前後部には、吐出口７５と、呼び水吸込口７６とを、それぞれ筒部７７，７８により外側方に突出させて形成している。
【００２５】
これらに対して、反モータ側ケース５３には、これの内部を上下に仕切る仕切板７９を内装しており、これによって、反モータ側ケース５３内の下部に吸込室８０を形成している。又、この仕切板７９には２つの通水口８１，８２を形成しており、そのうちの通水口８１を前記吸込路７３の下端の開口部にパッキン８３を介して水密に結合し、通水口８２を前記ポンプ羽根６５に臨ませている。
【００２６】
更にそのうちの、通水口８１と吸込路７３との連通部分に対しては、逆止弁８４を設けており、この逆止弁８４は、常時は吸込室８０から吸込路７３に溜まる水に浮いて上記通水口８１と吸込路７３との連通部分を閉塞するフロートタイプで、吸込室８０が負圧となったときに、二点鎖線で示すように吸込室８０内側に離間してその連通部分を開放するようになっている。
【００２７】
この構成で、吐出口７５は、図４に示すように、前記給水ケース４９の上部に形成した水受口８５との間を接続パイプ８６により接続しており、給水ケース４９は、それより前方に延出形成した給水口８７を前記内槽３４内に臨ませている。又、呼び水吸込口７６には、前記給水弁５０の２つある出口部の一つを、呼び水供給パイプ８８により接続しており、給水弁５０の他の出口部は給水ケース４９内に側方より臨ませている。
【００２８】
次に、上記構成のものの作用を述べる。
まず、給水ポンプ４８の吸込口６９に、風呂の浴槽内など機外水源に連通させた吸水ホース（図示せず）を接続し、この状態で、ポンプ給水行程を開始させる。すると、最初に、給水弁５０が開放されることにより、この給水弁５０から呼び水供給パイプ８８を通じて給水ポンプ４８の吐出室７４に呼び水が供給される。この吐出室７４に供給された呼び水は、ポンプケーシング６７の出口部（図示せず）を通ってポンプケーシング６７内に至り、このポンプケーシング６７内と吸込室８０内、及び吐出室７４内を満たす。
【００２９】
次いで、モータ５８が起動されることにより、ポンプ羽根６５が回転駆動され、ポンプケーシング６７内及び吸込室８０内の水がポンプケーシング６７の出口部から吐出室７４内に吐出されることによって、吸込室８０が負圧となる。よって、逆止弁８４が図１に二点鎖線で示すように通水口８１と吸込路７３との連通部分を開き、前記風呂の浴槽内など機外水源の水が吸水ホース及び吸込口６９を通じて吸込路７３内及び吸込室８０内に流入する。そして、この流入した水が、ポンプ羽根６５により吐出室７４内に吐出され、吐出口７５から接続パイプ８６、給水ケース４９を順に通じて内槽３４内に供給される。
【００３０】
このように本構成のものでは、機内に配設した給水ポンプ４８により、風呂の浴槽内など機外水源の水を内槽３４内に供給し得るもので、その給水中や給水後に、例えばパッキン５４の劣化等が原因で、ポンプケース５１の吐出室７４内から水が漏れ出たとき、その水はポンプケース５１（反モータ側ケース５３）の外表面を流下するものの、モータ５８はポンプケース５１の上部（モータ側ケース５２）にあって、水の流下先（下方）にはなく、従って、流下した水がモータ５８に触れることがない。
【００３１】
又、この場合、流下した水が給水ポンプ４８の設置された面上に至って水位を上げることがあっても、それに対して、モータ５８はポンプケース５１の上部に位置しており、モータ５８部分に容易に水が浸入することはない。かくして、モータ５８の絶縁性を、流下した水で損ねるおそれをなくすことができる。
【００３２】
加えて、本構成のものの場合、ポンプ羽根６５はモータ５８の下方に配設しており、シール６６が劣化しても、ポンプ羽根６５で掻く水が上方のモータ５８の部分に自然には至りにくいから、モータ５８の絶縁性を一層良好に維持することができる。
又、モータ５８は縦軸状態に配設しており、モータ５８の重量による負担がモータ５８の軸受やシール６６にかかりにくいから、それら軸受やシール６６の寿命を長く確保することができる。
【００３３】
更に、ポンプケース５１は、ポンプ羽根６５が吐出した水を受容する吐出室７４を、モータ５８を収納したモータ室５６に沿わせて有しており、これによって、それらの成形がその沿い方向である上下に抜く単純な型を用いて同時にでき、成形費用を少なく済ませることができる。なお、このために、モータ室５６は上方に開口しており、吐出室７４は下方に開口している。
【００３４】
しかも、この場合、モータ室５６に吐出室７４が沿っていることで、モータ５８を吐出室７４内の水で冷却することができ、且つ、モータ５８が発する振動、騒音を吐出室７４内の水で吸収し、静音化することができる。
又、ポンプケース５１は、上記吐出室７４の内部に、機外の水の吸込みに供する吸込路７３を有しており、これによって、吸込路７３を吐出室７４の外部に有するものより、それらの構成部分をコンパクトにすることができる。
【００３５】
更に、ポンプケース５１は、モータ室５６の下部に、ポンプケース５１外に通じる水抜口６８を有しており、これによって、シール６６が劣化してポンプケーシング６７内からモータ室５６内へ浸水したときの、水をポンプケース５１外に速やかに排出できて、モータ５８の絶縁性を更に良好に維持することができる。又、この場合、前述のポンプケース５１から漏れ出て流下した水が給水ポンプ４８の設置された面上で水位を上げることがあっても、水抜口６８はそれより充分上方に位置することになるから、水抜口６８から水が浸入することもなく、これによってもモータ５８の絶縁性を良好に維持することができる。
【００３６】
しかも、モータ５８は、接続端子６０をポンプケース５１の上部に位置させており、ポンプケース５１から漏れ出て流下する水は、その接続端子６０にもかかりにくいから、これによってもモータ５８の絶縁性を良好に維持することができる。
そして、給水ポンプ４８は洗濯機の後部、すなわち機後部に配設しており、これによって、給水ポンプ４８が作動するときの運転振動が、洗濯機の前に立つ使用者に感じられることを少なくし得、快適に使用せしめることができる。
【００３７】
なお、本発明は上記し且つ図面に示した実施例にのみ限定されるものではなく、特に洗濯機全体としては、上述の全自動タイプのもの（脱水兼用洗濯機）に限られず、二槽式洗濯機等であっても良いなど、要旨を逸脱しない範囲内で適宜変更して実施し得る。
【図面の簡単な説明】
【００３８】
【図１】本発明の一実施例を示す給水ポンプ単体の縦断面図
【図２】給水ポンプ単体の平面図
【図３】洗濯機全体の破断側面図
【図４】洗濯機の給水ポンプを配設した部分の破断平面図
【図５】従来例を示す図１相当図
【図６】図２相当図
【符号の説明】
【００３９】
図面中、４５はトップカバー、４８は給水ポンプ、５１はポンプケース、５６はモータ室、５８はモータ、５９は回転軸、６０は接続端子、６５はポンプ羽根、６８は水抜口、７３は吸込路、７４は吐出室、７５は吐出口を示す。
【図１】
2004160243.tif 000003
【図２】
2004160243.tif 000004
【図３】
2004160243.tif 000005
【図４】
2004160243.tif 000006
【図５】
2004160243.tif 000007
【図６】
2004160243.tif 000008